(57)【特許請求の範囲】
【請求項１】
ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業において用いられる方法であって、少くも１本の第１ねじ杆の基部の回りに固着した環状をなすゴム状弾性体を、第１ねじ杆をドアに差し込む時にその差し込みに伴ってドア自体又はその付属固定物に設けた貫通孔を強制的に通過させることにより、該ゴム状弾性体を通過後の弾性的復元状態で第１ねじ杆の抜け止め片として作用するようにしたことを特徴とするドア取付部品の取付けにおける仮止め方法。
【請求項２】
ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業において用いられる方法であって、第１ねじ杆が差し込まれるドア内の錠箱における中空支柱の内壁の差込み側の端部に環状のゴム状弾性体を予め固着し、第１ねじ杆を中空支柱に差し込んだ時ゴム状弾性体の中央孔を弾縮力に抗して強制的に貫通させ、第１ねじ杆とゴム状弾性体との間の摩擦力により第１ねじ杆の中空支柱からの抜け出しを阻止するようにしたことを特徴とするドア取付部品の取付けにおける仮止め方法。
【請求項３】
ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業において用いられる方法であって、少くも１本の第１ねじ杆の基部の回りに固着した筒状をなすゴム状弾性体を、第１ねじ杆をドアに差し込む時にその差し込みに伴ってドア自体又はその付属固定物に設けた貫通孔に強制的に嵌め込み、当該貫通孔とゴム状弾性体との間の摩擦力により第１ねじ杆の中空支柱からの抜け出しを阻止するようにしたことを特徴とするドア取付部品の取付けにおける仮止め方法。
【発明の詳細な説明】
【０００１】
【発明の属する技術分野】
この発明は、ドアの両側面部に対向して装着される対をなすドア取付部品、すなわち把手組立体、ハンドル組立体又はシリンダ錠とサムターンの組立体等の取付け作業における仮止め方法に関する。
【０００２】
【従来の技術】
ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業は、従来よりごく一般的に用いられており、周知である。
【０００３】
しかしながら、前記の取付け作業において、ドアの一面に一方のドア取付け部品を当てがいつつドアの他面に他方のドア取付部品を押し付け、かつ、一方のドア取付部品側の第１ねじ杆に対し他方のドア取付部品のねじ孔を通じ第２ねじ杆を螺合させる際、これを１人の作業者が行おうとすると、一方の手で両方の取付部品を持った上で、他方の手で第２ねじ杆を第１ねじ杆に対しねじ合せしなければならず、作業性が極めて悪い。
【０００４】
この際、作業者は極めて不安定な体勢を取らなければならず、ドア取付部品を落下させて破損させてしまうことも時として起こっていた。また、ドア厚が厚い場合には、１人では作業ができないという問題もあった。
【０００５】
この問題を解決するため、本件の出願人等は特開平７−１６６７３９号に示されたドアのハンドルセットを既に提案している。
【０００６】
同号公報に示された手法は、一方のドア取付部品をドアの一面に当接させ、第１ねじ杆をドアの穴に差し込んだ後に、ドアの地面側において第１ねじ杆に圧入又はねじ合わせにより剛体の仮止めピースを取付け、該仮止めピースをドアの他面における穴部付近に係止させ、これをもって、第１ねじ杆を含む一方のドア取付部品がドアから脱落しないように仮止めしたものである。
【０００７】
【発明が解決しようとする課題】
その手法によれば、一方のドア取付部品を仮止めピースで係止させた後は、それを手で押さえていなくても他方のドア取付部品だけを手で支えつつ第１ねじ杆に対し第２ねじ杆をねじ合せることにより、ドア両面に対し両取付部品を呼び付けることができる。
【０００８】
しかしながら、仮止めピースを第１ねじ杆に嵌め込むまでは、ドアの一面上の一方のドア取付部品から手を放すとそれが脱落する恐れがあり、ドアが厚くドア取付部品が重く大型であると、作業者１人での取付け作業はなお困難であるなどの改良すべき点も見られる。
【０００９】
この発明のドア取付部品の取付けにおける仮止め方法は、一方のドア取付部品のドアに対する仮止め作業を簡単にし、全体としての取付け作業を作業者が単独でも行えるようにすることを目的として提案された。
【００１０】
【課題を解決するための手段】
上記の目的を達成するため、この発明に係る請求項１の仮止め方法は、ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業において用いられる方法であって、少くも１本の第１ねじ杆の基部の回りに固着した環状をなすゴム状の弾性体を、第１ねじ杆をドアに差し込む時にその差し込みに伴ってドア自体又はその付属固定物に設けた貫通孔を強制的に通過させることにより、該ゴム状弾性体を通過後の弾性的復元状態で第１ねじ杆の抜け止め片として作用するようにしたことを特徴とする。
【００１１】
また、この発明にかかる請求項２の仮止め方法は、ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業において用いられる方法であって、第１ねじ杆が差し込まれるドア内の錠箱における中空支柱の内壁の差込み側の端部に環状のゴム状弾性体を予め固着し、第１ねじ杆を中空支柱に差し込んだ時ゴム状弾性体の中央孔を弾縮力に抗して強制的に貫通させ、第１ねじ杆とゴム状弾性体との間の摩擦力により第１ねじ杆の中空支柱からの抜け出しを阻止するようにしたことを特徴とする。
【００１２】
更にまた、この発明にかかる請求項３の仮止め方法は、ドアの両側面部に対向して装着されるための対をなすドア取付部品を、雌ねじ又は雄ねじを備え、一方のドア取付部品に立設された複数の第１ねじ杆と、雄ねじ又は雌ねじを備え、他方のドア取付部品のねじ孔に挿通される複数の第２ねじ杆との螺合により、相互に呼び付けてドアの両側面部に固定する取付け作業において用いられる方法であって、少くも１本の第１ねじ杆の基部の回りに固着した筒状をなすゴム状弾性体を、第１ねじ杆をドアに差し込む時にその差し込みに伴ってドア自体又はその付属固定物に設けた貫通孔に強制的に嵌め込み、当該貫通孔とゴム状弾性体との間の摩擦力により第１ねじ杆の中空支柱からの抜け出しを阻止するようにしたことを特徴とする。
【００１３】
【発明の実施の形態】
以下、図面に示す実施例に基いてこの発明について説明する。
図１及び図２は第１実施例を、図３及び図４は第２実施例を、図５〜図７は第３実施例を、図８及び図９は第４実施例をそれぞれ説明するために示したものである。
【００１４】
図１〜図９において、符号１０はドア、２０はドア１０内に固設された錠箱その他の付属固定物、３０は錠箱２０の幅方向に固設され、後記の第１ねじ杆１１が差し込まれる中空支柱、１、２はドア１０の両側面部に対向して装着されるための対をなすドア取付部品、すなわち、把手組立体、ハンドル組立体又はシリンダ錠とサムターンの組立体等を示している。
【００１５】
更に、符号１１は一方のドア取付部品１の台座１２における背面に立設された締め付け用の複数の第１ねじ杆で、それら第１ねじ杆１１には雌ねじ１３又は雄ねじが切られている。
【００１６】
また、符号２１は他方のドア取付部品２の台座で、その台座２１には第１ねじ杆１１の数に対応させた複数のねじ孔２２が穿設されている。
【００１７】
図２、図４又は図７に示すように、前記のねじ孔２２にはそれぞれ矢印Ａの方向に締め付け用の第２ねじ杆３を挿入し、各第２ねじ杆３はそれに設けられた雄ねじ３１又は雌ねじをもって対応する第１ねじ杆１１に螺合させる。
【００１８】
ここに、部屋の内外において対をなすドア取付部品１、２はドア１０を挟み付けるようにして両側面部に呼び付けられ、両ドア取付部品１、２の取付作業が完了する。
【００１９】
なお、図１及び図２に示す第１実施例のドア取付部品１、２はドア内外の把手組立体を表わし、また、図３及び図４に示す第２実施例のドア取付部品１、２はノブ１４、シリンダ錠（図示しない）及びサムターン（台座２１のみを図示し、サムターン自体は図示を省略）から成る組立体を表している。
【００２０】
また、図５〜図７に示す第３実施例のドア取付部品１、２は第２実施例同様ノブ１４、シリンダ錠（図示しない）及びサムターン（台座２１のみを図示し、サムターン自体は図示を省略）から成る組立体を表し、図８及び図９に示す第４実施例のドア取付け部品１、２は、第１実施例同様、ドア内外の把手組立体を示している。
【００２１】
以上に述べた構成及び取付け手順はいずれも周知である。この発明の主要部については以下に述べる。
【００２２】
第１実施例（図１及び図２参照）では、少くも１本の第１ねじ杆１１の基部側の回りに弾性高分子材料で成る環状のゴム状弾性体４が工場等で予め嵌め込まれ固着してある。
【００２３】
この例において、ゴム状弾性体４の横断面形は外に凸の山形に形成してあるが、ゴム状弾性体４の全体形が環状であれば、その横断面系は山形に限るものではない。
【００２４】
また、ゴム状弾性体４の第１ねじ杆１１に対する固着手段としては、ゴム状弾性体４の弾縮力だけを用いた嵌装手段、接着手段、又はねじ杆１１の回りに設けた溝に対する弾縮力による嵌め込み手段等任意のものを採用し得る。
【００２５】
第１実施例の発明においては、一方のドア取付部品１を手で持って背面の第１ねじ杆１１をドア１０自体に設けた貫通孔４０に差し込んだ時、その差し込みに伴って前記貫通孔４０の径よりも外径が大きく作られたゴム状弾性体４はその貫通孔４０において一旦強制的に縮小され、通過後弾性的に復元するので、そこで一方のドア取付部品１から手を放してもゴム状弾性体４が第１ねじ杆１１の抜け止め片として作用する（図２参照）。
【００２６】
従って、第２ねじ杆３のねじ込みにより第１ねじ杆１１が矢印Ａ方向に多少押されても、ドア１０の内向き面１０ａに当接するゴム状弾性体４の存在によりそれが抜け出すことは決してなく、一方のドア取付部品１は脱落することなくドア１０に対し確実に仮止めされることになる。
【００２７】
第２実施例（図３及び図４参照）では、ゴム状弾性体４の第１ねじ杆１１に対する固着位置が先端側の回りであることと、第１ねじ杆１１をドア１０の貫通孔４０及び中空支柱３０に差し込んだ時に、ゴム状弾性体４が抜け止め片として作用する当接部がドア１０の構成材ではなく錠箱その他のドア１０の付属規定物２０の外向き面２０ａであることが、第１実施例と異なる。他の構造並びに作用については第１実施例に準ずる。
【００２８】
第３実施例（図５〜図７参照）では、環状のゴム状弾性体４ａがドア内固定の錠箱２０における少くも１本の中空支柱３０に対しその前方側の内壁に予め固着してある。この例において、環状のゴム状の弾性体４の横断面形は内に凸の山形に形成してあるが、横断面形は図示例に限るものではない。
【００２９】
ゴム状弾性体４ａの中空支柱３０に対する固着手段は、接着手段又は嵌め込み手段（この場合ゴム状弾性体にフランジ部分を一体に設けて中空支柱３０の口部に嵌め込む）など任意の手段を採用し得る。
【００３０】
第３実施例の発明においては、図５〜図７に示すように、一方のドア取付部品１を手で持って第１ねじ杆１１をドア１０の貫通孔４０を通じて錠箱２０の中空支柱３０に少し強めの力で押し込む。
【００３１】
この第１ねじ杆１１の差し込みにおいて、第１ねじ杆１１の外径よりも内径が小さく作られた環状のゴム状弾性体４ａは、第１ねじ杆１１との間では滑りを生じつつ半径方向に弾性的に圧縮される（図７参照）。
【００３２】
第１ねじ杆１１が完全に差し込まれた図７の状態において、第１ねじ杆１１はゴム状弾性体４ａとの間に摩擦力を生じ、従って、第２ねじ杆３のねじ込みにより第１ねじ杆１１が矢印Ａ方向に多少押されても、その抜け出しは阻止される。
【００３３】
第４実施例の発明においては、図８及び図９に示すように、少くも１本の第１ねじ杆１１の基部側の回りに弾性高分子材料で成る筒状のゴム状弾性体４ｂが工場等で予め嵌め込まれ固着してある。
【００３４】
尚、この筒状のゴム状弾性体４ｂの外径は、ドア１０の貫通孔４０の径よりも少し大きめに設定しておく。
【００３５】
この第４実施例においては、図９に示すように、一方のドア取付部品１を手で持って第１ねじ杆１１の基部のゴム状弾性体４ｂをドア１０の貫通孔４０に少し強めの力で嵌め込む。
【００３６】
すると、ゴム状弾性体４ｂは半径方向に少し弾性変形した状態で、換言すれば、貫通孔４０と嵌合する部分が若干縮径した状態でドアの貫通孔４０に嵌合する。
【００３７】
第１ねじ杆１１が完全に差し込まれた図９の状態において、第１ねじ杆１１に固着されたゴム状弾性体４ｂとドアの貫通孔４０の内周縁との間に摩擦力を生じ、従って、第２ねじ杆３のねじ込みにより第１ねじ杆１１が矢印Ａ方向に多少押されても、その抜け出しは阻止される。
【００３８】
要するに、一方のドア取付部品１は脱落することなくドア１０に対しそれに固定された錠箱２０を介して確実に仮止めされることになる。
【００３９】
【発明の効果】
以上に説明したように、この発明に係るドア取付部品の取付けにおける仮止め方法によれば、ドアの両側面部に対向して装着されるべき一対のドア取付部品をねじ杆で呼び付けてドアに取り付ける作業の過程において、一方のドア取付部品をドアの一面側に仮止めするについて、仮止め作用を呈する環状のゴム状弾性体は事前に工場等で第１ねじ杆又は錠箱の中空支柱に固着してあるので、一方のドア取付部品に立設された第１ねじ杆をドアの一面からやや強めに押し付けるだけで、自動的に仮止め作業ができる利点がある。
【００４０】
従って、現場で仮止めピースを装着する従来例のものとは異なり、現場における繁雑な作業を減じることにより作業性の向上が計れる上、単独の作業者によっても一方のドア取付部品のドアからの落下損傷を取付けの全過程において確実に無くし得る効果がある。
【図面の簡単な説明】
【図１】この発明の第１実施例で用いられる一方のドア取付部品を示す平面図。
【図２】図１のドア取付部品をドアに仮止めした状態を示す部分縦断平面図。
【図３】この発明の第２実施例で用いられる一方のドア取付部品を示す部分平面図。
【図４】図３のドア取付部品をドアに仮止めした状態を示す部分縦断平面図。
【図５】この発明の第３実施例で用いられる一方のドア取付部品を示す部品平面図。
【図６】図５の一方のドア取付部品が仮止めされるドアの縦断部分平面図。
【図７】図５のドア取付部品をドアに仮止めした状態を示す部分縦断平面図。
【図８】この発明の第４実施例で用いられる一方のドア取付部品を示す平面図。
【図９】図８のドア取付部品をドアに仮止めした状態を示す部分縦断平面図。
【符号の説明】
１０  ドア
２０  錠箱
３０  中空支柱
４０  貫通孔
１  一方のドア取付部品
１１  第１ねじ杆
２  他方のドア取付部品
３  第２ねじ杆
４  ゴム状弾性体
４ａ  ゴム状弾性体
４ｂ  ゴム状弾性体
【図１】
0003833301.tif 000002
【図２】
0003833301.tif 000003
【図３】
0003833301.tif 000004
【図４】
0003833301.tif 000005
【図５】
0003833301.tif 000006
【図６】
0003833301.tif 000007
【図７】
0003833301.tif 000008
【図８】
0003833301.tif 000009
【図９】
0003833301.tif 000010